(57)【特許請求の範囲】
【請求項１】
鋼構造物の曲面状の屋根板外面に当接して仮設した外枠材に設けた差込口に差し込んで掛止する構造のフックと、該フックの背部に取付けた水平材と、該水平材の端部と前記外枠材のフランジとの間に斜めに掛け渡した斜材とで形成した曲面用足場ブラケットであって、前記フックは背部に設けた取付ピースに前記水平材の外枠材側の端部をピンを介して回動自在に連結された構造で、かつ前記取付ピースと水平材のピン連結部に平板からなるストッパーを備え、該ストッパーと前記フックにより外枠材のウェブを挟持して前記外枠材からの脱落が防止される構造であり、前記斜材は該斜材の上端部が前記水平材の端部にピンを介して回動自在に連結され、かつ前記斜材の下端部にピンを介して回動自在なクランプが取付けられ、該クランプを外枠材のフランジに緊結して前記外枠材に固定される構造であり、曲面状の屋根板外面に水平な足場を取付ける手段を備えていることを特徴とする曲面用足場ブラケット。
【請求項２】
鋼構造物の曲面状の屋根板外面に当接して仮設した外枠材に設けた差込口に差し込んで掛止する構造のフックと、該フックの背部に前記外枠材のフランジに沿って配置されるように取付けた縦材と、水平材と、前記縦材の下端部と水平材の端部との間に斜めに掛け渡した斜材とで形成した三角形状を呈する曲面用足場ブラケットであって、前記フックはスリットを備え、該スリットに外枠材のウェブを嵌合して前記外枠材からの脱落が防止される構造で、かつ背部に設けた取付ピースに前記縦材の上端部と水平材の外枠材側の端部がピンを介して回動自在に連結された構造であり、前記縦材は外枠材のフランジに当接する支持部材を下部に備え、前記縦材の下端部と前記斜材の下端部及び前記水平材の端部と前記斜材の上端部がピンで回動自在に連結された構造であり、前記斜材は２枚板構造で、かつ前記各斜材は固定孔を複数備え、任意の重なり代で前記固定孔の少なくとも２箇所においてピンを介して締結固定する構造であり、曲面状の屋根板外面に水平な足場を取付ける手段を備えていることを特徴とする曲面用足場ブラケット。
【請求項３】
請求項１又は請求項２記載の曲面用足場ブラケットは、前記外枠材のウェブに当接して固定する構造の逆さＬ字状の取付部材と外枠材のフランジとの間に形成される間隙状の差込口に前記フックを差し込んで掛止する構造であることを特徴とする請求項１又は請求項２記載の曲面用足場ブラケット。
【発明の詳細な説明】
【技術分野】
【０００１】
この発明は、貯槽の曲面状の屋根板等の外面に取付ける足場ブラケットの構造に関するものである。
【背景技術】
【０００２】
貯槽等の屋根板１、側板２等にブラケット足場を設ける場合、通常図１４及び図１５に示すような三角形状の足場ブラケット３２、３４が使用されている。
この従来の足場ブラケット３２は、図１４に示す通り、通常は貯槽等の鋼構造物の垂直に立設された側板２等の外面にネコピース３１等のブラケット取付部材を溶接で固定し、このネコピース３１にフック３２ａを上方から差し込んで掛止する構造である。
また、図１５に示す従来の曲面用足場ブラケット３４は、貯槽等の鋼構造物の曲面状の屋根板１等の外面に足場を設ける際に使用するブラケットであり、図１４と同様に屋根板１の外面にネコピース３１等のブラケット取付部材を溶接で固定し、このネコピース３１にフック３５ａを上方から差し込んで掛止する構造である。この従来の曲面用足場ブラケット３４は、斜め部材３７に複数の固定孔３７ａを備え、ブラケットを取付ける曲面の角度に合わせて前記斜め部材３７と水平材３６のボルト・ナット３８の締結固定する位置を変更し、縦部材３５と横部材３６の交差角度を変えて足場を水平に調節する構造である。
【０００３】
特許文献１（実開平０１-０５７２４９号公報）「タンク内足場用ブラケット取付装置」には、円筒形タンク本体のホッパー底面の開口部に放射状にパイプ取付部を固着した取付座を備え、かつこの取付座に放射管を回動自在に枢着して放射管基礎部の夫々の放射管の上端部に足場用ブラケットを嵌着するタンク内足場用ブラケット取付装置の構造が開示されている。
【０００４】
特許文献２（実公平０２-０４６６００号公報）「球状タンクの開閉式足場」には、球状タンク外周面の仮設足場を溶接縦シームに沿った上下方向のみの多段式足場の構造とし、球形タンク本体の上段に吊りピースを固定し、この吊りピースに連結アングルをボルトで固定し、この連結アングルにブラケットを取付け、そのブラケットに開閉する足場板等を組み込んだ吊り足場の構造が開示されている。
【０００５】
特許文献３（登実第３１５２４２６号公報）「船艙またはバラストタンクの足場用ブラケットの構造」には、縦部材と横部材との交差角度が可変されるように、縦部材と横部材と斜め部材の内の少なくとも一つにおいて三角形の辺の長さを調節可能とする長さ調節手段を備えた足場用ブラケットの構造が開示されている。
【０００６】
特許文献４（特許第３５７１８６６号公報）「集成材トラス用三次元ブラケット足場とそのブラケット」には、トラスが形成される集成材の上縁部に係合する一対の係合板の間にターンバックル機構を機械的に介在した取付け金物を備え、該取付け金物の一方の係合板上に支持アームの基端部を枢着し、かつ、他方の係合板上と上記支持アームの中途部との間に長さを変え得る方杖状角度調整金物を装備したブラケットの構造が開示されている。
【０００７】
特許文献５（特許第３８８８５９３号公報）「斜面足場用ブラケット」には、水平材と、取付材と、斜材及び手摺柱とからなり、取付材の上部に水平材の一端部を回動可能に連結し、取付材の下部に斜材の一端部を回動可能に連結し、水平材の他端部に手摺柱の下部を回動可能に連結した構造で、かつ斜材の軸方向に複数の支持孔を備え、この複数の支持孔から選択された支持孔と水平材の他端部とが着脱可能なピンで連結されて一体化された斜面足場用ブラケットの構造が開示されている。
【先行技術文献】
【特許文献】
【０００８】
【特許文献１】実開平０１-０５７２４９号
【特許文献２】実公平０２-０４６６００号
【特許文献３】登実第３１５２４２６号
【特許文献４】特許第３５７１８６６号
【特許文献５】特許第３８８８５９３号
【発明の概要】
【発明が解決しようとする課題】
【０００９】
貯槽等の曲面状の屋根板１等外面に取付ける足場ブラケットは、図１４に示す通り、屋根板１等の外面に溶接固定した複数のネコピース３１に当該足場ブラケット３２のフック３２ａを差し込んで掛止する構造であり、上記ネコピース３１のグラインダーによる除去作業や取外した跡の検査に手間を要していた。
また、図１５に示す通り、従来の曲面用足場ブラケット３４は、斜め部材３７に一定間隔のボルト・ナット３８の固定孔３７ａを備え、ボルト・ナット３８で締結固定する固定孔３７ａを変更することによって縦部材３５と横部材３６の交差角度を調節して水平を調節する構造であるが、当該交差角度がブラケット３４取付部の曲面の角度に一致しない場合、曲面用足場ブラケット３４を横部材３６が傾斜した状態で設けるか、或いは斜め部材３７に新たにボルトの固定孔を穿設して水平を調節する必要が生じ、安全性や施工性に問題があった。
さらに、図１５に示す通り、従来の曲面用足場ブラケット３４で水平を確保する場合、斜め部材３７が横部材３６の上部に突出した状態となり、墜落・転落防止用のネット等の取付時に邪魔になっており、安全性に問題があった。
【００１０】
特許文献１「タンク内足場用ブラケット取付装置」は、タンク内壁面に足場ブラケット固定用の金具を溶接せずに足場ブラケットを取付けることが可能な装置に関するものであるが、タンクの屋根板等の曲面に水平に取付けるブラケットの構造に関するものではない。
また、曲面の角度に合わせて取付角度や斜材の長さを調節することが可能なブラケットの構造に関するものでもない。
【００１１】
特許文献２「球状タンクの開閉式足場」は、球殻板外面にブラケットを連結するアングルの吊りピースを固定する複数段のブラケット足場の構造に関するものであり、タンク本体材に吊りピースやネコピース等を溶接固定せずに設置可能なブラケットの構造に関するものではない。
また、曲面の角度に合わせて取付角度や斜材の長さを調節することが可能なブラケットの構造に関するものでもない。
【００１２】
特許文献３「船艙またはバラストタンクの足場用ブラケットの構造」は、斜め部材が伸縮自在で任意の重なり代で固定可能な二重管構造とされ、傾斜している壁面に足場板を水平に取付ける足場用ブラケットに関するものであるが、壁面の梯子装置からなる支持部材に足場用ブラケットが固定される構造であり、貯槽の屋根板等に当接して仮設した外枠材の差込口に掛止するブラケットの構造に関するものではない。
また、フックが縦部材又は横部材に回動自在に連結された足場ブラケットの構造に関するものでもない。
【００１３】
特許文献４「集成材トラス用三次元ブラケット足場とそのブラケット」は、屋根を構成する大型の集成材トラスに対して水平に取付けるブラケット足場に関するものであるが、ターンバックル機構を拡張作動してトラスに固定する構造であり、貯槽の屋根板等に当接して仮設した外枠材の差込口に掛止するブラケットの構造に関するものではない。
また、２枚板構造の斜材により斜材全体の長さ調節を可能とする足場用ブラケットの構造に関するものでもなく、斜材が水平材の上部に突出しない構造のブラケットに関するものでもない。
【００１４】
特許文献５「斜面足場用ブラケット」は、斜材に複数の支持孔を備え、選択された前記支持孔をピンで連結して水平材と取付材との角度を調節して水平な足場を取付けるブラケットの構造に関するものであるが、斜材下端部にクランプを備えたブラケットの構造に関するものではない。
また、２枚板構造の斜材により斜材全体の長さを調節することが可能な足場用ブラケットの構造に関するものでもなく、斜材が水平材の上部に突出しない構造のブラケットに関するものでもない。
【００１５】
この発明の目的は、上述のような従来技術が有する問題点に鑑みてなされたもので、鋼構造物の曲面状の屋根板等にネコピース等のブラケット取付部材を溶接固定せずに、水平な足場を取付けることが可能な施工性、経済性および安全性に優れた曲面用足場ブラケットを提供するものである。
【課題を解決するための手段】
【００１６】
請求項１の発明に係る曲面用足場ブラケットは、鋼構造物の曲面状の屋根板外面に当接して仮設した外枠材に設けた差込口に差し込んで掛止する構造のフックと、該フックの背部に取付けた水平材と、該水平材の端部と前記外枠材のフランジとの間に斜めに掛け渡した斜材とで形成した曲面用足場ブラケットであって、前記フックは背部に設けた取付ピースに前記水平材の外枠材側の端部をピンを介して回動自在に連結された構造で、かつ前記取付ピースと水平材のピン連結部に平板からなるストッパーを備え、該ストッパーと前記フックにより外枠材のウェブを挟持して前記外枠材からの脱落が防止される構造であり、
前記斜材は該斜材の上端部が前記水平材の端部にピンを介して回動自在に連結され、かつ前記斜材の下端部にピンを介して回動自在なクランプが取付けられ、該クランプを外枠材のフランジに緊結して前記外枠材に固定される構造であり、曲面状の屋根板外面に水平な足場を取付ける手段を備えていることを特徴とする。
【００１７】
請求項２の発明に係る曲面用足場ブラケットは、鋼構造物の曲面状の屋根板外面に当接して仮設した外枠材に設けた差込口に差し込んで掛止する構造のフックと、該フックの背部に前記外枠材のフランジに沿って配置されるように取付けた縦材と、水平材と、前記縦材の下端部と水平材の端部との間に斜めに掛け渡した斜材とで形成した三角形状を呈する曲面用足場ブラケットであって、前記フックはスリットを備え、該スリットに外枠材のウェブを嵌合して前記外枠材からの脱落が防止される構造で、かつ背部に設けた取付ピースに前記縦材の上端部と水平材の外枠材側の端部がピンを介して回動自在に連結された構造であり、前記縦材は外枠材のフランジに当接する支持部材を下部に備え、前記縦材の下端部と前記斜材の下端部及び前記水平材の端部と前記斜材の上端部がピンで回動自在に連結された構造であり、前記斜材は２枚板構造で、かつ前記各斜材は固定孔を複数備え、任意の重なり代で前記固定孔の少なくとも２箇所においてピンを介して締結固定する構造であり、曲面状の屋根板外面に水平な足場を取付ける手段を備えていることを特徴とする。
【００１８】
請求項３の発明に係る曲面用足場ブラケットは、請求項１又は請求項２記載の曲面用足場ブラケットが、前記外枠材のウェブに当接して固定する構造の逆さＬ字状の取付部材と外枠材のフランジとの間に形成される間隙状の差込口に前記フックを差し込んで掛止する構造であることを特徴とする。
【発明の効果】
【００１９】
請求項１の発明に係る曲面用足場ブラケットは、鋼構造物の曲面状の屋根板外面に当接して仮設した外枠材に設けた差込口に差し込んで掛止する構造のフックと、該フックの背部に取付けた水平材と、該水平材の端部と前記外枠材のフランジとの間に斜めに掛け渡した斜材とで形成した曲面用足場ブラケットであって、前記フックは背部に設けた取付ピースに前記水平材の外枠材側の端部をピンを介して回動自在に連結された構造で、かつ前記取付ピースと水平材のピン連結部に平板からなるストッパーを備え、該ストッパーと前記フックにより外枠材のウェブを挟持して前記外枠材からの脱落が防止される構造であり、
前記斜材は該斜材の上端部が前記水平材の端部にピンを介して回動自在に連結され、かつ前記斜材の下端部にピンを介して回動自在なクランプが取付けられ、該クランプを外枠材のフランジに緊結して前記外枠材に固定される構造であり、曲面状の屋根板外面に水平な足場を取付ける手段を備えているので、
別途ネコピース等のブラケット取付部材を外槽の屋根板等の外面に溶接固定することなく外枠材に取付けることが可能な構造であり、溶接量やブラケット足場の施工、ネコピースの除去作業や除去後の非破壊検査に掛かる労力や経費等を削減できる。また、貯槽構築後の外観も良い。さらに、屋根板構築後に外枠材とともにブラケットを撤去することが可能となり、ブラケット足場の解体作業に掛かる労力が軽減される。
斜材を水平材上部に突出させることなく、曲面に水平な足場を取付けることが可能な構造であり、墜落・転落防止用のネット等の取付時に邪魔になることもなく、安全である。また、従来の曲面用足場ブラケットのように斜材に複数のボルト・ナット固定孔を設ける構造とする必要がない。
フックが取外し構造となっており、外枠材に切り欠きや孔開け等による差込口を設けることにより、容易に設置可能である。
フック取付部に脱落防止用のストッパーが設けられているため、フックを差込口に差し込んで掛止している状態で外枠材から外れることがない。
フック取付部がピンで回動自在に連結されているため、曲面に対する取付角度の調節が容易である。
ターンバックルやねじ込み構造等と比べて構造が簡単であり、施工費が安く、斜材の長さ調節が容易である。
外枠材を従来の足場ブラケットの縦材の代わりとして使用できるため、部材費をコストダウンできる。
【００２０】
請求項２の発明に係る曲面用足場ブラケットは、鋼構造物の曲面状の屋根板外面に当接して仮設した外枠材に設けた差込口に差し込んで掛止する構造のフックと、該フックの背部に前記外枠材のフランジに沿って配置されるように取付けた縦材と、水平材と、前記縦材の下端部と水平材の端部との間に斜めに掛け渡した斜材とで形成した三角形状を呈する曲面用足場ブラケットであって、前記フックはスリットを備え、該スリットに外枠材のウェブを嵌合して前記外枠材からの脱落が防止される構造で、かつ背部に設けた取付ピースに前記縦材の上端部と水平材の外枠材側の端部がピンを介して回動自在に連結された構造であり、前記縦材は外枠材のフランジに当接する支持部材を下部に備え、前記縦材の下端部と前記斜材の下端部及び前記水平材の端部と前記斜材の上端部がピンで回動自在に連結された構造であり、前記斜材は２枚板構造で、かつ前記各斜材は固定孔を複数備え、任意の重なり代で前記固定孔の少なくとも２箇所においてピンを介して締結固定する構造であり、曲面状の屋根板外面に水平な足場を取付ける手段を備えているので、
別途ネコピース等のブラケット取付部材を外槽の屋根板等の外面に溶接固定することなく外枠材に取付けることが可能な構造であり、溶接量やブラケット足場の施工、ネコピースの除去作業や除去後の非破壊検査に掛かる労力や経費等を削減できる。また、貯槽構築後の外観も良い。さらに、屋根板構築後に外枠材とともにブラケットを撤去することが可能となり、ブラケット足場の解体作業に掛かる労力が軽減される。
斜材を水平材上部に突出させることなく、曲面に水平な足場を取付けることが可能な構造であり、墜落・転落防止用のネット等の取付時に邪魔になることもなく、安全である。
フックが取外し構造となっており、外枠材に切り欠きや孔開け等による差込口を設けることにより、容易に設置可能である。フックにスリットが設けられており、フックを差込口に差し込んで掛止する際に、当該スリットに外枠材のウェブが嵌合された状態となり、外枠材から外れることがない。
フック取付部がピンで回動自在に連結されているため、曲面に対する取付角度の調節が容易である。
ターンバックルやねじ込み構造等と比べて構造が簡単であり、施工費が安く、斜材の長さ調節が容易である。
【００２１】
請求項３の発明に係る曲面用足場ブラケットは、請求項１又は請求項２記載の曲面用足場ブラケットが、前記外枠材のウェブに当接して固定する構造の逆さＬ字状の取付部材と外枠材のフランジとの間に形成される間隙状の差込口に前記フックを差し込んで掛止する構造であるので、
簡易な部材で形成した逆さＬ字状の取付部材を外枠材に溶接やボルト・ナット等で固定することにより、容易に前記外枠材に取付けることが可能である。
また、前記逆さＬ字状の取付部材は、ボルト・ナットで着脱自在に外枠材に固定することにより、繰り返し使用することが可能である。
【図面の簡単な説明】
【００２２】
【図１】この発明に係る曲面用足場ブラケット４（１６）を貯槽の屋根板１の外枠材１４に掛止して取付けた状態を示す全体縦断面説明図である。
【図２】外周部屋根板１ｂ外面の外枠材１４に曲面用足場ブラケット４（１６）のフック５（１７）を差し込んで掛止する差込口３を設けた構造を示す斜視説明図である。
【図３】第１事例の曲面用足場ブラケット４の各構成部材を示す説明図である。
【図４】第１事例の曲面用足場ブラケット４の詳細構造を示す説明図である。
【図５】第１事例の曲面用足場ブラケット４のフック５が外枠材１４の差込口３に差し込まれて掛止される手順（ａ）〜（ｄ）を示す詳細説明図である。
【図６】第１事例の曲面用足場ブラケット４を外周部屋根板１ｂの（Ａ）上部、（Ｂ）中間部、（Ｃ）下部の外枠材１４に取付けた状態を示す説明図である。
【図７】第２事例の曲面用足場ブラケット１６の各構成部材を示す説明図である。
【図８】第２事例の曲面用足場ブラケット１６の詳細構造を示す説明図である。
【図９】第２事例の曲面用足場ブラケット１６のフック１７が外枠材１４の差込口３に差し込まれて掛止される手順（ｅ）, （ｆ）を示す詳細説明図である。
【図１０】第２事例の曲面用足場ブラケット１６を外周部屋根板１ｂの（Ｄ）上部、（Ｅ）中間部、（Ｆ）下部の外枠材１４に取付けた構造を示す説明図である。
【図１１】外周部屋根板１ｂの外枠材１４に逆さＬ字状の取付部材２９が固定された構造の事例を示す斜視説明図である。
【図１２】図１１の逆さＬ字状の取付部材２９が外枠材１４に取付けられる手順及び取付方法の事例を示す断面説明図である。
【図１３】外槽屋根板１の組立構築後に外枠材１４が撤去された状態を示す斜視説明図である。
【図１４】従来のネコピース３１を屋根板１に溶接固定して取付けるブラケット３２の構造の事例を示す斜視説明図である。
【図１５】従来の曲面用足場ブラケット３４の構造の事例を示す説明図である。
【発明を実施するための形態】
【００２３】
この発明に係る曲面用足場ブラケット４（１６）の実施形態について、図１乃至図１３を参照して説明する。
図１は縦置円筒形低温貯槽の外槽屋根板１に曲面用足場ブラケット４（１６）が設置された状態の事例を示す。
図１の外槽屋根板１は、最上部分に位置する天頂部屋根板１ａと、当該天頂部屋根板１ａを囲む残余の環状部分に位置する外周部屋根板１ｂとから形成され、外槽側板２のトップアングル２ａ上面に搭載されている。
天頂部屋根板１ａの形状は、円錐形状、平板形状、欠球形状等である。
外周部屋根板１ｂは、所定の曲率を有すように平板がロール曲げ加工されるか、あるいは仮設架台上に平板が載置され、所定の曲率を有す形鋼材が押し当てられて成形され、外面に所定の曲率を維持するための外枠材１４が当接されて仮設された曲板である。
外枠材１４は、チャンネル形鋼材やＩ形鋼材あるいはＨ形鋼材等の成型鋼材で形成されており、外槽屋根板１を施工するための外槽足場用の曲面用足場ブラケット４（１６）が外面に掛止されている。
【００２４】
図２は、外周部屋根板１ｂ外面の外枠材１４に曲面用足場ブラケット４（１６）のフック５（１７）を差し込んで掛止する差込口３を設けた構造を示す斜視説明図である。
図２は、外周部屋根板１ｂ外面の長手一方向中央部に所定の曲率を維持するための外枠材１４が当接されて仮設された状態を示す。この外枠材１４は、運搬時、組立時および完成後に外周部屋根板１ｂの曲率を維持するための仮設部材であり、チャンネル形鋼材やＩ形鋼材あるいはＨ形鋼材等の成型鋼材で形成された部材である。図２は、チャンネル形鋼材の外枠材１４が外周部屋根板１ｂ外面に仮設された事例を示している。また、外枠材１４は上下面のフランジ１４ａと側面のウェブ１４ｂで構成されている。
外枠材１４は、曲面用足場ブラケット４が取付られる位置に曲面用足場ブラケット４（１６）のフック５（１７）が差し込まれて掛止される差込口３を備えている。
差込口３は、図２に示すような切り欠き構造の他に、孔開け構造等、種々の構造を採用することが可能である。
【００２５】
図３は第１事例の曲面用足場ブラケット４の構成部材を示す説明図である。
第１事例の曲面用足場ブラケット４は、図２の外枠材１４の差込口３に差し込まれて掛止されるフック５と、前記フック５背部に取付けた水平材８と、前記水平材８の端部と外枠材１４のフランジ１４ａとの間に斜めに掛け渡した斜材９とで形成した曲面用足場ブラケットである。
前記フック５は、背部に固定孔６ａを有す取付ピース６を有し、当該取付ピース６に前記水平材８の外枠材１４側の端部をピン１１を介して回動自在に連結する構造で、水平材８から取外し可能な構造である。
前記水平材８及び斜材９は、その両端部にピン１１,１２,１３を着脱自在に挿通して  回動自在に連結するための固定孔８ａ,８ｂ,９ａ,９ｂを備えている。また、水平材８は端部に垂直上方に延出させた手摺支柱立設部材１５を備えている。
前記フック５は、取付ピース６及び水平材８の外枠材１４側の端部のピン１１連結部に
平板からなるストッパー７を備え、該ストッパー７と前記フック５により外枠材１４のウェブ１４ｂを挟持して前記外枠材１４からの脱落が防止される構造である。
斜材９は、下端部に外枠材１４のフランジ１４ａに緊結するクランプ１０を備えている。前記斜材９とクランプ１０は、当該クランプ１０の固定孔１０ａと斜材９の下端部の固定孔９ａにピン１３が着脱自在に挿通されて連結されている。
また、フック５の取付ピース６、ストッパー７、水平材８、斜材９の固定孔の位置、数量は前記したものに限定せず、調整用の固定孔（図示せず）が別途設けられた構造としても良い。
【００２６】
図４は、図３に示す各構成部材を連結して一体化形成した第１事例の曲面用足場ブラケット４の詳細構造を示す説明図である。
前記フック５背部の取付ピース６に前記水平材８の外枠材１４側の端部とストッパー７がピン１１で回動Ｒ自在に連結される。
前記水平材８の端部に前記斜材９の上端部がピン１２で締結固定されるとともに、前記斜材９の下端部にクランプ１０がピン１３で回動Ｒ自在に連結されて曲面用足場ブラケット４が形成される。
【００２７】
図５は、第１事例の曲面用足場ブラケット４のフック５が外枠材１４の差込口３に差し込まれて掛止される手順（ａ）〜（ｄ）を示す詳細説明図である。
（ａ）と（ｂ）は、曲面用足場ブラケット４のフック５が外枠材１４の差込口３の側面から差し込まれて掛止された状態を示す。
（ｃ）は、フック５背部の取付ピース６の固定孔６ａと水平材８の外枠材１４側の端部及びストッパー７の固定孔７ａに着脱可能なピン１１が挿通され、回動Ｒ自在に連結された状態を示す。
（ｄ）は、フック５が外枠材１４から脱落しないように、前記ストッパー７と前記フック５により、外枠材１４のウェブ１４ｂを挟持した状態を示す。
【００２８】
図６は、第１事例の曲面用足場ブラケット４を外周部屋根板１ｂの（Ａ）上部、（Ｂ）中間部、（Ｃ）下部の外枠材１４に取付けた状態を示す説明図である。
（Ａ）〜（Ｃ）に示す通り、外周部屋根板１ｂの傾斜角度は、曲面用足場ブラケット４の取付位置毎に異なる。第１事例の曲面用足場ブラケット４は、水平材８の外枠材１４側の端部のフック５取付部及び斜材９下端部のクランプ１０取付部がピンで回動自在に連結されており、外周部屋根板１ｂ外面の外枠材１４のどの取付位置においても水平に取付けることが可能である。
第１事例の曲面用足場ブラケット４は、フック５及びクランプ１０がピンで回動自在に連結された構造であり、取付角度の調節が容易である。また、第１事例の曲面用足場ブラケット４は、従来の曲面用足場ブラケットのように、斜材に複数の固定孔を設けたり、固定孔を新たに穿設することなく、水平材８上部に斜材９を突出させずに曲面に水平な足場を取付けることが可能である。
【００２９】
第１事例の曲面用足場ブラケット４は、下記の作用効果を有す。
斜材９を水平材８上部に突出させることなく、曲面に水平な足場を取付けることが可能な構造であり、墜落・転落防止用のネット等の取付時に邪魔になることもなく、安全である。また、従来の曲面用足場ブラケットのように斜材９に複数のボルト・ナット固定孔を設ける構造とする必要がない。
フック５が取外し構造となっており、外枠材１４に切り欠きや孔開け等による差込口３を設けることにより、容易に設置可能である。
フック５取付部に脱落防止用のストッパー７が設けられているため、フック５を差込口３に差し込んで掛止している状態で外枠材１４から外れることがない。
フック５取付部がピン１１で回動自在に連結されているため、曲面に対する取付角度の調節が容易である。
ターンバックルやねじ込み構造等と比べて構造が簡単であり、施工費が安く、斜材９の長さ調節が容易である。
外枠材１４を従来の足場ブラケットの縦材の代わりとして使用できるため、部材費をコストダウンできる。
【００３０】
図７は、第２事例の曲面用足場ブラケット１６の各構成部材を示す説明図である。
第２事例の曲面用足場ブラケット１６は、図２の外枠材１４の差込口３に差し込まれて外枠材１４に掛止されるフック１７と、該フック１７の背部に前記外枠材１４のフランジ１４ａに沿って配置されるように取付けた縦材１９と、水平材２０と、前記縦材１９の下端部と水平材２０の端部との間に斜めに掛け渡した斜材２１とで形成した三角形状を呈する曲面用足場ブラケットである。
前記フック１７は、前記縦材１９及び水平材２０から取外し可能な構造とし、前記フック１７背部には固定孔１８ａを有す取付ピース１８が設けられている。
また、前記フック１７の掛止部の長さＬは、外枠材１４の差込口３に正面から差し込んで掛止することが可能な長さとする。
前記縦材１９は、アングル材等の成型鋼材で形成され、当該縦材１９下部に平鋼やアングル材等で形成された支持部材１９ｃが設けられている。また、当該縦材１９は、上端部及び下端部にピンが着脱自在に挿通される固定孔１９ａ、１９ｂを備えている。
また、前記水平材２０は、両端部にピンが着脱自在に挿通される固定孔２０ａ、２０ｂを備えている。また、水平材２０は、端部に垂直上方に延出させた手摺支柱立設部材２８を備えている。
前記斜材２１は上部斜材２１ａと下部斜材２１ｃの２枚板で構成されるとともに、各板は複数の固定孔２１ｂ、２１ｄを備えている。
また、フック１７の取付ピース１８、縦材１９、水平材２０、斜材２１の固定孔の位置、数量は前記したものに限定せず、調整用の固定孔（図示せず）が別途設けられた構造としても良い。
【００３１】
図８は、図７に示す各構成部材を連結して一体化形成した第２事例の曲面用足場ブラケット１６の詳細構造を示す説明図である。
前記フック１７背部の取付ピース１８に縦材１９の上端部と前記水平材２０の外枠材１４側の端部がピン２２で回動Ｒ自在に連結され、前記縦材１９の下端部と前記斜材２１の下端部及び前記水平材２０の端部と前記斜材２１の上端部がピン２６、２３で回動自在に連結された構造である。
また、前記斜材２１は上部斜材２１ａと下部斜材２１ｃの２枚板で構成されており、各斜材２１ａ、２１ｃは複数箇所に固定孔２１ｂ、２１ｄを備えている。２枚の斜材２１ａ、２１ｃは、曲面用足場ブラケット１６を曲面に水平に取付けるように重なり代を調節する構造であり、固定孔２１ｂ、２１ｄの少なくとも２箇所においてピン２４、２５を挿通して締結固定する構造となっている。
また、上部斜材２１ａ及び下部斜材２１ｃの長さ、固定孔の数や間隔等は、曲面用足場ブラケット１６の取付状況に応じて、種々のものを採用可能とする。
【００３２】
図９は、第２事例の曲面用足場ブラケット１６のフック１７が外枠材１４の差込口３に差し込まれて掛止される手順（ｅ）, （ｆ）を示す詳細説明図である。
（ｅ）は、幅方向中心部またはその近傍にスリット２７を有すフック１７と、該フック１７が差し込まれて掛止される差込口３を有す外枠材１４を示す。
（ｆ）は、フック１７が外枠材１４から脱落しないように、フック１７を差込口３の正面から差し込み、フック１７のスリット２７に外枠材１４のウェブ１４ｂを嵌合して掛  止した状態を示す。
スリット２７を有すフック１７を採用することにより、別途ストッパー７等の部材を設けることなく、外枠材１４からの脱落を防止することが可能となる。
【００３３】
図１０は、第２事例の曲面用足場ブラケット１６を外周部屋根板１ｂの（Ｄ）上部、（Ｅ）中間部、（Ｆ）下部の外枠材１４に取付けた状態を示す説明図である。
（Ｄ）〜（Ｆ）に示す通り、外周部屋根板１ｂの傾斜角度は、曲面用足場ブラケット１６の取付位置毎に異なる。第２事例の曲面用足場ブラケット１６は、フック１７取付部がピン２２で回動自在に連結されている構造であり、取付角度の調節が容易である。また、２枚の斜材２１ａ、２１ｃの重なり代を変更することにより、斜材２１全体の長さを調節することが可能なため、外周部屋根板１ｂ外面の外枠材１４に水平な足場を取付けることが可能である。
第２事例の曲面用足場ブラケット１６は、フック１７取付部がピン２２で回動自在に連結されており、取付角度の調節が容易である。また、第２事例の曲面用足場ブラケット１６は、従来の曲面用足場ブラケットと異なり、水平材２０上部に斜材２１を突出させずに曲面に水平な足場を取付けることが可能である。
【００３４】
第２事例の曲面用足場ブラケット１６は、下記の作用効果を有す。
斜材２１を水平材２０上部に突出させることなく、曲面に水平な足場を取付けることが可能な構造であり、墜落・転落防止用のネット等の取付時に邪魔になることもなく、安全である。
フック１７が取外し構造となっており、外枠材１４に切り欠きや孔開け等による差込口３を設けることにより、容易に設置可能である。フック１７にスリット２７が設けられており、フック５を差込口３に差し込んで掛止する際に、当該スリット２７に外枠材１４のウェブ１４ｂが嵌合された状態となり、外枠材１４から外れることがない。
フック１７取付部がピン２２で回動自在に連結されているため、曲面に対する取付角度の調節が容易である。
ターンバックルやねじ込み構造等と比べて構造が簡単であり、施工費が安く、斜材２１の長さ調節が容易である。
【００３５】
第２事例の曲面用足場ブラケット１６は、縦材１９を使用する代わりに外枠材１４のウェブ１４ｂに固定孔（図示せず）を設け、斜材２１下端部とピンで連結させる構造としても良い。
【００３６】
図１１は、外周部屋根板１ｂの外枠材１４に逆さＬ字状の取付部材２９を固定して曲面用足場ブラケット取付用の差込口３０を設けた構造の事例を示す斜視説明図である。
図１１の（Ｇ）は、上図の詳細構造を示し、（ｇ）に示す逆さＬ字状の取付部材２９を（ｈ）に示すように外枠材１４のウェブ１４ｂに当接して固定し、前記逆さＬ字状の取付部材２９と外枠材１４のフランジ１４ａとの間に形成される間隙状の差込口３０に（ｉ）に示すように曲面用足場ブラケット４（１６）のフック５（１７）が差し込まれて掛止される。
【００３７】
図１２は、図１１の逆さＬ字状の取付部材２９が外枠材１４に取付けられる手順及び取付方法の事例を示す断面説明図である。
逆さＬ字状の取付部材２９は、ウェブ２９ａ、フランジ２９ｂ、引掛け部２９ｃからなる部材であり、（ｊ）に示すように外枠材１４に上から差し込まれ、曲面用足場ブラケット４（１６）のフック５（１７）が差し込まれる差込口３０が形成されるように、引掛け部２９ｃを外枠材１４のフランジ１４ａの縁に当接させ、かつ逆さＬ字状の取付部材２９のウェブ２９ａと外枠材１４のウェブ１４ｂ相互を当接させた状態で、（ｋ）のように溶接２９ｄ或いは（ｌ）のように少なくとも２箇所のボルト・ナット２９ｅ、２９ｆ等で固定する構造である。
前記逆さＬ字状の取付部材２９は、簡易な部材で形成され、チャンネル材等で形成された外枠材１４に溶接２９ｄやボルト・ナット２９ｅ、２９ｆ等で容易に固定可能な構造である。また、ボルト・ナット２９ｅ、２９ｆで固定することにより、逆さＬ字状の取付部材２９が着脱自在となり、繰り返し使用することが可能となる。
また、前記逆さＬ字状の取付部材２９に従来の曲面用足場ブラケットを引掛けて固定することも可能である。
前記取付部材２９の形状や固定方法は前記に限らず、種々の形状、固定方法を採用することが可能である。
【００３８】
図１３は、外槽屋根板１の組立構築後に外枠材１４が撤去された状態を示す斜視説明図である。
図１３に示す通り、外槽屋根板１構築後に、外周部屋根板１ｂ外面に接合された外枠材１４が解体撤去される。
このように、外枠材１４に曲面用足場ブラケット４（１６）が取付けられる差込口３又は逆さＬ字状の取付部材２９が設けられる構造としたので、別途ネコピース３１等のブラケット取付部材を外槽の屋根板１等の外面に溶接固定する必要がなく、溶接量やブラケット足場の施工、ネコピース３１の除去作業や除去後の非破壊検査に掛かる労力や経費等を削減できる。また、貯槽構築後の外観も良い。さらに、屋根板１構築後に外枠材１４とともにブラケットを撤去することが可能となり、ブラケット足場の解体作業に掛かる労力が軽減される。
【００３９】
図１乃至図１３に示した第１及び第２事例のブラケット４（１６）の各部の構造を組み合わせたブラケットの構造を採用することも可能である。例えば、スリット２７を有すフック１７と斜材９の下端部にクランプ１０を連結した構造や、脱落防止用のストッパー７が連結されたフック５と２枚重ねの斜材２１を組み合わせた構造のブラケット等を採用することも可能である。
また、図１乃至図１３において、縦置円筒形低温貯槽の外槽屋根板に適用する事例を示したが、本願のブラケットは、種々の鋼構造物のブラケット足場に適用することが可能である。
さらに、チャンネル材の外枠材１４に限定せず、Ｉ型鋼材、Ｈ型鋼材等で形成された外枠材にも適用することが可能である。
【産業上の利用可能性】
【００４０】
この発明に係る曲面用足場ブラケット及びその取付構造は、種々の鋼構造物のブラケット足場に適用することが可能である。
【符号の説明】
【００４１】
１  屋根板
１ａ  天頂部屋根板
１ｂ  外周部屋根板
２  側板
２ａ  トップアングル
３  差込口
４  第１事例の曲面用足場ブラケット
５  フック
６  取付ピース
６ａ  固定孔
７  ストッパー
７ａ  固定孔
８  水平材
８ａ  固定孔
８ｂ  固定孔
９  斜材
９ａ  固定孔
９ｂ  固定孔
１０  クランプ
１０ａ  固定孔
１１  ピン
１２  ピン
１３  ピン
１４  外枠材
１４ａ  フランジ
１４ｂ  ウェブ
１５  手摺支柱立設部材
１６  第２事例の曲面用足場ブラケット
１７  フック
１８  取付ピース
１８ａ  固定孔
１９  縦材
１９ａ  固定孔
１９ｂ  固定孔
１９ｃ  支持部材
２０  水平材
２０ａ  固定孔
２０ｂ  固定孔
２１  斜材
２１ａ  上部斜材
２１ｂ  固定孔
２１ｃ  下部斜材
２１ｄ  固定孔
２２  ピン
２３  ピン
２４  ピン
２５  ピン
２６  ピン
２７  スリット
２８  手摺支柱立設部材
２９  逆さＬ字状の取付部材
２９ａ  ウェブ
２９ｂ  フランジ
２９ｃ  引掛け部
２９ｄ  溶接
２９ｅ  ボルト・ナット
２９ｆ  ボルト・ナット
３０  差込口
３１  ネコピース
３２  従来の足場ブラケット
３２ａ  フック
３３  足場板
３４  従来の曲面用足場ブラケット
３５  縦部材
３６  横部材
３７  斜め部材
３７ａ  固定孔
３８  ボルト・ナット
３９  手摺支柱立設部材
Ｌ  フック１７の掛止部の長さ
Ｒ  回動
【図１】
0006628225.tif 000002
【図２】
0006628225.tif 000003
【図３】
0006628225.tif 000004
【図４】
0006628225.tif 000005
【図５】
0006628225.tif 000006
【図６】
0006628225.tif 000007
【図７】
0006628225.tif 000008
【図８】
0006628225.tif 000009
【図９】
0006628225.tif 000010
【図１０】
0006628225.tif 000011
【図１１】
0006628225.tif 000012
【図１２】
0006628225.tif 000013
【図１３】
0006628225.tif 000014
【図１４】
0006628225.tif 000015
【図１５】
0006628225.tif 000016